【手続補正書】
【提出日】平成20年12月8日(2008.12.8)
【手続補正１】
【補正対象書類名】特許請求の範囲
【補正対象項目名】請求項１
【補正方法】変更
【補正の内容】
【請求項１】
動いている物体の電子記録、特に、記録表面（２１）上でローリングされる指（１）の記録のための方法であって、前記物体が、その構造とともに、空間分解画像記録ユニットによって、前記動きの間に、一連の独立した画像内で記録され、２次元電子画像として処理される方法において、
前記画像記録ユニット（２）から読み出された独立した画像のうち、少なくとも１つの画像（３１）により、前記物体（１）の位置およびサイズから、物体（１）を緊密だが完全に取り囲む形（３２）が決定され、
許容値（Δ）だけ拡大され、かつ、画像記録ユニット（２）に含まれているセンサ（２２）の行方向および列方向に平行に向けられた長方形（３３）が、予期または認識される物体（１）の動きを考慮して、物体画像が切り取られないように、取り囲む形（３２）から決定され、
拡大された長方形（３３）が、引き続き読み出されるセンサ（２２）の少なくとも１つの画像についてのアクティブなピクセル領域（２３）のサイズと位置とを予測および調節するために使用され、それにより、読み出されるアクティブなピクセル領域（２３）が、その適合により常に小さく保たれ、センサの読み出しまたはデータ転送においてより高い画像レートが実現され、従って、全体画像（３）を完全に確実に組み立てるためのより緊密な一連の十分オーバーラップした記録画像（３１）が実現されることを特徴とする方法。
【手続補正２】
【補正対象書類名】特許請求の範囲
【補正対象項目名】請求項２
【補正方法】変更
【補正の内容】
【請求項２】
現在記録されている画像（３１）の物体画像（１１）の取り囲む形（３２）が、列方向および行方向の両方の方向のそれぞれに形成された各々のグラディエント画像（８１；８２）によって決定され、ここで、各ピクセルについてのグラディエント画像（８１；８２）が、行方向または列方向の隣接するグレー値の間の差（８３；８４）を取ることにより生成されることを特徴とする、請求項１に記載の方法。
【手続補正３】
【補正対象書類名】特許請求の範囲
【補正対象項目名】請求項２３
【補正方法】変更
【補正の内容】
【請求項２３】
動いている物体の一連の２次元の独立した画像を記録するための画像記録ユニット（２）を使用した、動いている物体の電子記録、特に、記録表面（２１）上でローリングされる指（１）の記録のための装置であって、前記独立した画像が、動いている物体（１）の全体画像（３）を組み立てるために空間的オーバーラップを有する装置において、
画像記録ユニット（２）によって以前に読み出された少なくとも１つの画像（３１）に基づいて、前記物体画像を緊密だが完全に囲む制限された画像領域を連続的に計算するための論理ユニット（５１）が、画像記録ユニット（２）の下流に配置され、
プログラム記憶装置（５２）、データ記憶装置（５３）、プロセッサ（５４）、およびインタフェース（５５）が論理ユニット（５１）に関連付けられ、前記プロセッサ（５４）が、データの流れと、画像記録ユニット（２）から読み出される次の画像（３１）のためのアクティブなピクセル領域（２３）として論理ユニット（５１）により計算される制限された画像領域とを制御するために提供され、
ピクセル領域（２３）のサイズおよび位置に関して論理ユニット（５１）によって規定の方法で制御される画像（３１）のデータ転送のためのインタフェースが、外部コンピュータユニット（４）に対して形成され、コンピュータユニット（４）が、時間の経過とともに連続的に記録された画像（３１）を組み立てて、全体画像（３）を形成するための画像処理を含むことを特徴とする装置。
【手続補正４】
【補正対象書類名】明細書
【補正対象項目名】００１１
【補正方法】変更
【補正の内容】
【００１１】
上述のすべての引例では、画像記録ユニットから得られるフレームは、一定のサイズの指紋をとり、（クロック発振器またはイベントトリガにより与えられる）設定された時間方式に基づいている。これでは、ローリング速度（および場合によってはローリング速度の変化）と、指の接触面のサイズ（およびローリングプロセス中の後者の実際の変更）とは、画像記録ユニットの読み出し方式には考慮され得ない。
【手続補正５】
【補正対象書類名】明細書
【補正対象項目名】００１２
【補正方法】変更
【補正の内容】
【００１２】
結果画像を正しく計算するには、２つの隣接した指紋ストリップが、当該の方法にとって十分に大きな共通部分を有していなければならない。これは、指がローリングされる間、高速な定期サンプリングが実行される場合にのみ実現可能である。現在、これは、２５フレーム／秒（ｆ／ｓ）よりも大きな高画像読み出し速度（フレーム率）を有するセンサによって実施されている。ただし、空間解像度が（例えば、５００ｄｐｉから１０００ｄｐｉに）増加される場合、技術的限界が発生する。フレーム率が減少するか（例えば、５００ｄｐｉから１０００ｄｐｉに変更する場合、フレーム率は１／４に減少する）、または、電子機器を含むセンサの価格が法外に高くなる。
【手続補正６】
【補正対象書類名】明細書
【補正対象項目名】００１３
【補正方法】変更
【補正の内容】
【００１３】
したがって、本発明の目的は、高いフレーム率（読み出し速度）を有する高価な画像センサに頼らずに、高解像度の独立した画像と、独立した画像をギャップなしに接合して全体画像を形成するための緊密な画像シーケンスとを可能にする、ローリングされる指紋の電子記録のための新しい可能性を見いだすことである。
【手続補正７】
【補正対象書類名】明細書
【補正対象項目名】００１４
【補正方法】変更
【補正の内容】
【００１４】
動いている物体の電子記録、特に、記録表面上でローリングされる指の記録のための方法（ここで、前記物体は、その構造とともに、空間分解画像記録ユニットによって、前記動きの間に捕捉される一連の画像内で検出され、２次元電子画像として処理される）では、画像記録ユニットから読み出された少なくとも１つの独立した画像内の前記物体の位置およびサイズから、前記物体を緊密だが完全に取り囲む形が決定されるという点で、そして、許容値だけ拡大され、画像記録ユニットに含まれるセンサの行方向および列方向に平行に向けられた長方形が、予期または認識される物体の動きを考慮して、物体画像が切り取られないように前記取り囲む形から決定されるという点で、そして、前記拡大された長方形が、引き続き読み出されるセンサの少なくとも１つの画像についてのアクティブなピクセル領域のサイズと位置とを予測および調節するために使用され、それにより、読み出されるアクティブなピクセル領域が、その適合により常に小さく保たれ、センサの読み出しまたはデータ転送においてより高い画像レートが実現され、従って、全体画像を完全に確実に組み立てるためのより緊密な一連の十分オーバーラップした記録画像が実現されるという点で、本発明により上述の目的が達成される。
【手続補正８】
【補正対象書類名】明細書
【補正対象項目名】００１５
【補正方法】変更
【補正の内容】
【００１５】
現在サンプリングされている画像の物体画像を取り囲む形は、有利には、列方向および行方向に評価されたグラディエント画像によって決定される。各ピクセルについてのグラディエント画像は、行方向または列方向の隣接するグレー値の間の差を取ることにより生成される。
【手続補正９】
【補正対象書類名】明細書
【補正対象項目名】００１６
【補正方法】変更
【補正の内容】
【００１６】
行または列の、現在評価されているピクセルの先行ピクセルと後続ピクセルのグレー値の差を取ることでグラディエント値の各ピクセルを生成すると好ましい。
【手続補正１０】
【補正対象書類名】明細書
【補正対象項目名】００１７
【補正方法】変更
【補正の内容】
【００１７】
指紋の端の信頼性の高い抽出のためには、各ピクセルのグラディエント値は、好ましくは、行または列の現在評価されているピクセルの先行ピクセルの先行ピクセルと後続ピクセルの後続ピクセルのグレー値の差から形成される。